(57)【要約】【課題】一人で使用する携帯用保温マットにおいて、遠赤外線を放射することができる鉱物の粉末を塗布したことにより重いマットを軽量にできて、それを常に携帯可能とする。【解決手段】本考案の携帯岩盤保温マットは、室内で使用していた岩盤浴用マットを携帯可能にするため、大きさが２８０ｍｍ平方の不織布マットの表面に、ホルンヘルスの粉末を接着ボンドに混合して不織布マットに吹きつけて厚さ２ｍｍのマットを製作して、これで発熱体の表裏を挟んで耐熱性のゴム製絶縁シート製袋に入れて携帯岩盤保温マットを製作することができるもので、自動車の電源に接続し運転中に使用することや事務所で１００Ｖの電源に接続して座席に置いて使用する方法で携帯岩盤保温マットを軽便に使用することができるようにした。【選択図】図１
0003147151.tif 000002
【実用新案登録請求の範囲】
【請求項１】
形状が小型の不織布マットの表面に遠赤外線を放射する鉱物の粉末を接着ボンドに混入して吹きつけて製作される岩盤保温マットで発熱体の表裏を挟んで高温に耐えられる耐熱性のゴム製絶縁シート製袋に入れて製作することを特徴とする携帯岩盤保温マット。
【請求項２】
請求項１に記載の形状が小型の不織布マットの表面に遠赤外線を放射する鉱物の粉末はホルンヘルスの粉末を接着ボンドに混入して吹きつけて製作される岩盤保温マットであって、マットの大きさ２８０ｍｍ平方、厚さ２ｍｍの岩盤浴耐熱マットであることを特徴とする携帯岩盤保温マット。
【請求項３】
請求項１に記載の耐熱性のゴム製絶縁シート製袋は２５０℃乃至３００℃の温度に耐えられる耐熱性のアルミ箔を内側に貼着した耐熱性のゴム製絶縁シート製袋であることを特徴とする携帯岩盤保温マット。
【考案の詳細な説明】
【技術分野】
【０００１】
本考案は、岩盤保温マットの軽量小型化製作が容易な携帯用に使用される岩盤保温マットに関するものである。
【背景技術】
【０００２】
岩盤浴用シートの中で、岩盤の粉末を表面に吹き着けたマットは、岩盤浴にとって必要な遠赤外線を放射できる利点があるので、岩盤浴用の保温部として実用に供されている。
実用の岩盤浴用シートは、岩盤の粉末を吹き着けた不織布マットであるが屋内で使用するためシートの大きさから言って重量があり携帯するには不向きである。  
【０００３】
特許文献１のように岩盤浴具は、シリコンゴムの中に主鉱物バドガシュタイン鉱石と北投石の、一方又は双方の粉末、及び他の１又は２以上の補助鉱物の粉末を２０〜４０（重量％）混在させ、かつ厚さをほぼ１〜３（ｍｍ）に形成したシートであって、保温部にはヒーターがなく、身体の体温による熱のみで遠赤外線を放射することができるのみである。
【０００４】
特許文献２は、基本的な構成要素は、マイナスイオン、遠赤外線を放射する電気石（トルマリン）、石英岩、方解石、長石、木魚石、雲母などを砕いて入れた直系２〜５ｍｍの可変パイプ１８本を下側に、９本を上側に入れて、耐熱ゴム(２５０℃)電熱線を埋め込んだマットである。下側と上側とを折りたたみ式にしたものであり、身体を横たえて椅子やベッドの上で使用するためにマットの形状が大きくなる欠点がある。下マットの上に横たえた身体を上マットで覆って、電気ヒーターで保温して遠赤外線を放射させる。
【０００５】
従来の技術においては、このような理由のためにマットを自動車内や職場に持ち込んで仕事中に椅子の上に置いて使用するには不向きである。従来のマットは形状が大きいために重く、一人でそれを使用するのは難しく不便であり、使用する場合には介助者の協力が不可欠である。
【特許文献１】特開２００８−１４８８９９号公報
【特許文献２】特開２００６−３２０６８７号公報
【考案の開示】
【考案が解決しようとする課題】
【０００６】
解決しようとする問題点は、保温マットを一人で使用する携帯においては遠赤外線を放射する鉱物類で重いマットでは障害となる。遠赤外線を放射することができる鉱物の粉末をシリコンゴムの中に混在させるとか、鉱物類を砕いて可変パイプの中に入れた場合に重くなるために、マットは軽量小型化された携帯用にできない点である。
【課題を解決するための手段】
【０００７】
本考案は、一般に室内で使用されていた岩盤浴用マットを屋外に携帯可能とするため、岩盤浴のために遠赤外線を放射する鉱物例えばホルンヘルス、電気石、方解石、石英石の中でも多量に遠赤外線を放射するホルンヘルスの粉末を接着ボンドに混合して不織布の表面に塗布した携帯可能なその形状が小型の岩盤保温マットで発熱体を挟み耐熱性のゴム製絶縁シートの袋に入れることを最も主要な特徴とする。
【考案の効果】
【０００８】
本考案の携帯岩盤保温マットは、屋内で使用していた大きな形状の岩盤浴用マットを携帯可能にするため、発熱体の表裏を大きさが２８０ｍｍ平方の不織布マットの表面に、ホルンヘルツの粉末を接着ボンドに混合して吹きつけて厚さ２ｍｍのマットで挟み、耐熱性のゴム製絶縁シートの袋に入れて、厚さ約１０ｍｍの携帯に便利な岩盤保温マットを製作できるようにしたので、自動車の運転中の使用や事務所で座席に置いて使用する方法に応じて携帯岩盤保温マットを外出先に携帯して仕事中にでもそれを使用できるようにしたという利点がある。
【考案を実施するための最良の形態】
【０００９】
ホルンヘルスの粉末を接着ボンドに混合して不織布マットの表面に吹き付けて発熱体の表裏に挟んで製作される岩盤保温マットを耐熱性のゴム製絶縁シートの袋に入れて携帯可能に製作するという目的を、携帯岩盤保温マットが仕事中の障害にならず、形状が小型で携帯容易さを損なわずに実現した。
【実施例１】
【００１０】
図１は、本考案装置の１実施例のＡ−Ａ‘線断面図であって、図２はその一部分の平面図である。１は発熱体、２は銅平線、３は不織布、４はアルミ箔、５は絶縁シート(アルミ箔付き)、６は絶縁フィラメンテープ、７は導電性のある平線、８は端子パット、９は収縮チューブ、１０はアース線、１１はリード線、１２はスポット溶接部である。
【００１１】
本考案の実施例は、図１に基づいてその断面構造について実施方法を説明すれば室内で使用していた岩盤保温マットを携帯可能にするため、大きさが２８０ｍｍ平方の不織布３の表面に、遠赤外線を放射するホルンヘルスの粉末を接着ボンドに混合して前記不織布に吹きつけて遠赤外線を放射するマットを製作して、その厚さ２ｍｍの不織布マットで銅平線２を内部に設けた発熱体１の表裏を挟んで耐熱性のアルミ箔４を貼着した耐熱性のゴム製絶縁シート５の袋に入れて全体の厚さ約１０ｍｍの携帯岩盤保温マットを製作することができるものである。耐熱性のゴム製絶縁シートの材質は、発泡ウレタンゴムである。
図２に基づいて実施例の平面構造につて実施方法を説明すれば、発熱体１内部の銅平線２は、その銅平線２の左右両側の導電性の平線７間にスポット溶接部１２でスポット溶接されており、リード線１１を収縮チューブ９に通して更に端子パット８を介して左右の前記平線７に接続され、その平線７は絶縁フィラメンテープ６で周囲を覆われている構成である。
前記リード線１１に平行して端子パット８にアース線１０を設置して静電気を発生を逃がすようにして、静電気の害を防止している。リード線のプラグを自動車の１２Ｖの電源に変換器を介して接続し運転中に使用することや、事務所で１００Ｖの電源に接続して座席に置いて使用する方法で携帯岩盤保温マットを使用することができるようにした。
【産業上の利用可能性】
【００１２】
本考案の携帯岩盤保温マットは、形状が小型の不織布の表面にホルンヘルスの粉末を塗布した厚さ２ｍｍの不織布マットで発熱体の表裏両面を挟んで、耐熱性のゴム製絶縁シートの袋に中に入れてあることによって、水を通さない、保温性もあり、軽量で携帯にも便利である。それを座椅子や椅子の上に置いても、布団の上に敷いて身体を横にしても、自動車の運転中であっても使用が可能である。自動車の電源から１２Ｖから１００Ｖへの変換器を介して電源に接続すれば、最初には消費電力が２３Ｗも安定してくれば９Ｗの電力で保温することができるので、携帯により自動車や事務所のような移動が不可欠な用途にも適用できる。
【図面の簡単な説明】
【００１３】
【図１】図１は、携帯岩盤保温マットのＡ−Ａ‘線断面図である。（実施例１）
【図２】図２は、携帯岩盤保温マットの一部分の平面図である。（実施例１）
【符号の説明】
【００１４】
１    発熱体
２    銅平線
３    不織布  
４    アルミ箔
５    絶縁シート(アルミ箔貼付)  
６    絶縁フィラメンテープ    
７    平線  
８    端子パット  
９    収縮チューブ
１０    アース線
１１    リード線
１２    スポット溶接部
【図１】
0003147151.tif 000003
【図２】
0003147151.tif 000004